(57)【特許請求の範囲】
【請求項１】
刺繍範囲（６９）内に他の部位よりも厚くなった縫い合わせ部（７１）を有する帽子のキャップ部（６２）の内側に挿入されて該キャップ部（６２）の刺繍範囲（６９）の周辺部（７０）を受け止めるための受け枠（２）と、前記キャップ部（６２）の外側から巻き付けられて前記受け枠（２）との間で前記周辺部（７０）を挟持する押さえバンド（３）とを備えた刺繍ミシン用帽子枠において、
前記受け枠（２）は、前記縫い合わせ部（７１）における前記他の部位よりも余分な厚さを逃がすための凹部（１８）を上面に備え、
前記受け枠（２）は、その上面にキャップ部（６２）の位置ずれを防止する滑り止め部材（１６）が配設されており、前記凹部（１８）は、該凹部（１８）の部分に前記滑り止め部材（１６）を配設しないことによって形成され、
前記押さえバンド（３）は、前記受け枠（２）の上面に対向する面における前記凹部（１８）に対応する位置に第二の凹部（４６）を備えたことを特徴とする刺繍ミシン用帽子枠。
【発明の詳細な説明】
【０００１】
【発明の属する技術分野】
本発明は、刺繍ミシンによって帽子のキャップ部に刺繍加工するときにその帽子を保持するために使用する刺繍ミシン用帽子枠に関する。
【０００２】
【従来の技術】
図１１及び図１２は周知の帽子６１を示している。この帽子６１は、頭に被せるキャップ部６２と、キャップ部６２の前部６５に縫いつけられたひさし部６６とを備え、キャップ部６２には、前部６５の裏側に配設されたメッシュ部６３と、キャップ部６２の内側に配設されたリング状の汗止め部６４とがキャップ部６２の開口縁部において縫いつけられている。
【０００３】
キャップ部６２は、略三角形状に形成された複数（例えば、６つ）の布片６７が縫い合わされて形成されている。各布片６７の縫い合わせ部７１では、各布片６７の縫い代がキャップ部６２内側に配設されている。そして、該縫い代は、縫い合わせ部７１に沿ってキャップ部６２内側に配設された帯状布６８で覆われている。このように縫い合わせ部７１は、キャップ部６２の他の部位よりも厚くなっている。
【０００４】
帽子６１は、図１２に二点鎖線で示すようにキャップ部６２の内側からメッシュ部６３及び汗止め部６４が引き出され、さらに、図１１及び図１２に実線で示すようにメッシュ部６３の先端側６３ａが汗止め部６４を包むように折り返された状態にされ、帽子枠に装着される。刺繍範囲６９は、例えば図１２のキャップ部６２に二点鎖線で示すようにキャップ部６２の前部６５に設けられる。
【０００５】
図１３及び図１４に示すように、帽子６１のキャップ部６２の前部６５に刺繍加工するための従来の帽子枠８１は、キャップ部６２の内側に挿入されて前部６５の刺繍範囲６９の周辺部７０を受け止めるための受け枠８２と、キャップ部６２の外側から巻き付けられて受け枠８２との間で周辺部７０を挟持する弾性の金属平板からなる押さえバンド８３とを備えている。押さえバンド８３は、刺繍範囲６９の帽子高さ方向における上下の周辺部７０ａ，７０ｂを帽子周方向に渡って押さえる一対のバンド片８４，８５と、周辺部７０ｃ，７０ｄを押さえる一対の結合部８８とを備えている。頭頂側のバンド片８４と、結合部８８には、その受け枠８２への対向面に滑り止め用のゴム８６が設けられている。このように従来の帽子枠８１では、押さえバンド８３は、刺繍範囲６９の周辺部７０のみを押さえるようになっている。
【０００６】
帽子枠８１は、該帽子枠８１を駆動する駆動部１０１に取り付けられた状態において、刺繍範囲６９をミシンのベッド１０２における針板１０５の略直上に支持する。そして、駆動部１０１によって駆動される帽子枠８１と、ミシンヘッド１０３に上下動可能に設けられた針１０４と、ベッド１０２に内蔵された釜との協働によって刺繍範囲６９に刺繍柄が形成されるようになっている。
【０００７】
【発明が解決しようとする課題】
ところが、キャップ部６２の縫い合わせ部７１では、図１５に示すように布片６７の縫い代と、該縫い代を覆う帯状布６８とによって、キャップ部６２の他の部位よりも厚くなっている。このため、刺繍範囲内（図１１及び図１２に示す帽子の一例では、前部６５の中央）にキャップ部６２の縫い合わせ部７１がある帽子６１を帽子枠８１に装着すると、縫い合わせ部７１が刺繍範囲内の他の部位よりも盛り上がってしまい、縫い合わせ部７１における刺繍の品質が低下するという問題がある。
【０００８】
本発明の目的は、上記課題を解決し、刺繍範囲内にある縫い合わせ部における刺繍の品質を向上することができる刺繍ミシン用帽子枠を提供することにある。
【０００９】
【課題を解決するための手段】
上記目的を達成するために、本発明の刺繍ミシン用帽子枠は、刺繍範囲内に他の部位よりも厚くなった縫い合わせ部を有する帽子のキャップ部の内側に挿入されて該キャップ部の刺繍範囲の周辺部を受け止めるための受け枠と、前記キャップ部の外側から巻き付けられて前記受け枠との間で前記周辺部を挟持する押さえバンドとを備えた刺繍ミシン用帽子枠において、前記受け枠は、前記縫い合わせ部における前記他の部位よりも余分な厚さを逃がすための凹部を上面に備え、前記受け枠は、その上面にキャップ部の位置ずれを防止する滑り止め部材が配設されており、前記凹部は、該凹部の部分に前記滑り止め部材を配設しないことによって形成され、前記押さえバンドは、受け枠の上面に対向する面における前記凹部に対応する位置に第二の凹部を備えたことを特徴としている。
【００１３】
【発明の実施の形態】
図１〜図１０は本発明を具体化した一実施形態の刺繍ミシン用帽子枠１を示している。この帽子枠１は、図６〜図８に示すように該帽子枠１を駆動する駆動部５７に取り付けられた状態において、刺繍範囲６９をミシンのベッド５６における針板５８の略直上に支持する。そして、駆動部５７によって駆動される帽子枠１と、ミシンヘッド５４に上下動可能に設けられた針５５と、ベッド５６に内蔵された釜（図示略）との協働によって刺繍範囲６９に刺繍柄が形成されるようになっている。
【００１４】
図１に示すように、帽子枠１は、図１１及び図１２に示す周知の帽子６１のキャップ部の６２の内側に挿入されて帽子６１の刺繍範囲６９の周辺部７０を受け止めるための受け枠２と、キャップ部６２の外側から巻き付けられて受け枠２との間で周辺部７０を挟持する押さえバンド３とを備えている。
【００１５】
まず、受け枠２について説明する。受け枠２は、図２及び図３に示すように中空円筒状に形成されており、その内部には刺繍ミシンのベッド５６が配置されるようになっている。受け枠２の軸方向の一端側は帽子６１を被せる自由端となっており、他端側は帽子枠１を駆動する駆動部５７へ連結する基端となっている。この受け枠２は、帽子６１のメッシュ部６３及び汗止め部６４を主に受け止める受け枠本体６と、刺繍範囲６９のひさし部側周辺部７０ｂを主に受け止める第一調節枠７と、刺繍範囲６９の頭頂側周辺部７０ａ及び両側部側周辺部７０ｃ，７０ｃを主に受け止める第二調節枠８とを備えている。
【００１６】
受け枠本体６は、その受け枠２基端側が、駆動部５７に連結するための連結部９となっており、該連結部９は、駆動部５７に位置決めするための複数の嵌合凹部１０を備えている。受け枠本体６の外周面には、受け枠本体６の軸長さ方向の略中央にフランジ部１１が設けられている。フランジ部１１におけるキャップ部６２の後部が配設される側には、その上面に互いに間隔を置いて一対の連結棒１２，１３が設けられている。両連結棒１２，１３は、それぞれ受け枠２の軸長さ方向と平行に延びている。一方の連結棒１２には、押さえバンド３の一端側が回動自在に連結されている。他方の連結棒１３には、押さえバンド３の他端側が着脱可能に掛止される掛止片１４が設けられている。また、フランジ部１１におけるキャップ部６２の前部が配設される側には、帽子６１のキャップ部６２の内側から引き出されたメッシュ部６３及び汗止め部６４を受け枠本体６の上面に対して押さえる押さえ板部１５が設けられている。受け枠本体６の受け枠２自由端側において、キャップ部６２の側部７６が配設される側には、第一調節枠７及び第二調節枠８を取り付けるための取付部６ａが一体形成されている。
【００１７】
第二調節枠８の上面において、刺繍範囲６９の頭頂側周辺部７０ａを受け止める部位には、帽子周方向に延びる左右一対の滑り止め部材１６，１６が略一列に配設されており、刺繍範囲６９の両側部側周辺部７０ｃ，７０ｃを受け止める部位には、それぞれ帽子高さ方向に延びる滑り止め部材１７，１７が互いに略平行に配設されている。なお、帽子周方向に延びる両滑り止め部材１６，１６の間に形成されている凹部１８が、図９及び図１０に示すように縫い合わせ部７１における刺繍範囲内の他の部位よりも余分な厚さを逃がすための凹部である。この凹部１８は、該凹部１８の部分に滑り止め部材１６を配設しないことによって形成されている。
【００１８】
第一調節枠７及び第二調節枠８は、それぞれ受け枠本体６に設けられた軸方向に延びる長穴１９，２０に軸方向へ位置調節可能にボルト２１及びナット２２で取り付けられている。受け枠本体６、第一調節枠７、及び第二調節枠８の上面が布張面２３となっている。布張面２３には、図３に示すように第一窓部２４及び第二窓部２５が形成されている。第一窓部２４は、受け枠本体６の受け枠２自由端側縁部と、第一調節枠７における受け枠２基端側縁部とによって受け枠２の周方向に延びる横長に形成されている。この第一窓部２４内には、帽子６１から引き出したメッシュ部６３及び汗止め部６４が配設される（逃がされる）。第二窓部２５は、受け枠本体６の取付部６ａの縁部と、第一調節枠７における受け枠２自由端側縁部と、第二調節枠８における受け枠２基端側縁部とによって形成されている。第二窓部は、刺繍範囲６９に対応して設けられた横長の略長方形状の大開口部２５ａと、ひさし部６６の両側部の付け根側に対応する位置に設けられた小開口部２５ｂとからなっており、大開口部２５ａと小開口部２５ｂは互いに連通している。そして、受け枠本体６に対する第一調節枠７及び第二調節枠８の取り付け位置を調節することにより、第一窓部２４及び第二窓部２５（大開口部２５ａ及び小開口部２５ｂ）の大きさが調節可能に構成されている。
【００１９】
次に、押さえバンド３について説明する。押さえバンド３は、柔軟かつ薄い金属板からなり、図４及び図５に示すようにバンド本体２８と、調節バンド部２９と、左右一対の押さえ板３０，３０とを備えている。そして、押さえバンド３は、刺繍範囲６９の帽子高さ方向における上下の周辺部７０ａ，７０ｂと、帽子周方向における左右の周辺部７０ｃ，７０ｃとを押さえるようになっている。
【００２０】
バンド本体２８は、刺繍範囲６９のひさし部側周辺部７０ｂを帽子周方向に渡って押さえる第一バンド片３１と、該第一バンド片３１の両端側にそれぞれ一体形成され、キャップ部６２の両側部７６を押さえる連結部３６，３７とを備えている。この両連結部３６，３６が、ひさし部６６の両側部の付け根側付近と、該付近におけるキャップ部６２とを押さえる押さえ部である。
【００２１】
バンド本体２８のひさし部側縁部における両端部には、受け枠２の上面に対向する面に対して略垂直に突出する左右一対の第一位置決め片３３が設けられている。この第一位置決め片３３は、ひさし部６６の両側部の付け根側付近におけるキャップ部６２の開口縁部を係止して位置決めようになっている。また、バンド本体２８のひさし部側縁部における両第一位置決め片３３の間及び第一バンド片３１の反ひさし部側縁部には、それぞれ受け枠２の上面に対向する面に対して略垂直に突出する多数の第二位置決め片３４及び押さえ片３５が設けられている。第二位置決め片３４は帽子６１の前部６５とひさし部６６との縫い合わせ部７７に食い込んで第一バンド片３１を位置決めし、押さえ片３５は刺繍範囲６９のひさし部側周辺部７０ｂを帽子周方向に渡って押さえるようになっている。第二位置決め片３４は、刺繍範囲６９の帽子ひさし部側周辺部７０ｂのほぼ全体に渡って縫い合わせ部７７に食い込むように形成されている。第二位置決め片３４よりも押さえ片３５の突出長が大きく設定されている。
【００２２】
第一バンド片３１各部のサイズとしては、特に限定されないが、第二位置決め片の突出長を約２ｍｍ、押さえ片３５の突出長を約４ｍｍ、第二位置決め片３３と押さえ片３５との間隔を約５ｍｍに設定している。このように、第二位置決め片３４と、押さえ片３５との突出長の差としては、２ｍｍに設定している。
【００２３】
バンド本体２８の一方の連結部３６は、連結棒１２に回転自在に連結されており、他方の連結部３７は、連結棒１３の掛止片１４に着脱可能に掛止する掛止具３８を備えている。両連結部３６，３７には、押さえバンド３の幅方向に間隔を置いて平行に配設された、押さえバンド３の長さ方向に延びる一対の長穴３９がそれぞれ設けられている。
【００２４】
調節バンド部２９は、刺繍範囲６９の頭頂側周辺部７０ａを帽子周方向に渡って押さえる第二バンド片３２と、該第二バンド片３２の受け枠２の上面に対向する面に間隔を置いて取り付けられた一対の滑り止め部材４１と、第二バンド片３２の両端側にそれぞれ一体形成された結合部４２，４２とを備えている。第二バンド片３２の長さ方向に延びる両縁部には、受け枠２の上面に対向する面から略垂直に突出する多数の爪４４が設けられている。この爪４４は、滑り止め部材４１が押さえバンド３の幅方向に位置ずれしないように位置決めするようになっている。両結合部４２には、押さえバンド３の幅方向に間隔を置いて一列に設けられた、押さえバンド３の幅方向に延びる一対の長穴４５がそれぞれ設けられている。なお、一対の滑り止め部材４１の間に形成されている凹部４６が、図９及び図１０に示すように押さえバンド３の受け枠２の上面に対向する面の凹部１８に対応する位置に設けられた第二の凹部である。
【００２５】
押さえ板３０は、押さえバンド３の幅方向に延びる長方形の剛性金属板からなり、受け枠２の上面に対向する面には滑り止め部材４７が取り付けられており、該面の反対側の面には押さえバンド３の幅方向に間隔を置いて設けられた一対のボルト部４８が立設されている。
【００２６】
バンド本体２８の連結部３６，３７に設けられた押さえバンド３の長さ方向に延びる一対の長穴３９と、調節バンド部２９の結合部４２，４２に設けられた押さえバンド３の幅方向に延びる一対の長穴４５とが、それぞれ押さえ板３０に設けられた一対のボルト部４８と、蝶ナット４９とによって締結されている。これによって、連結部３６，３７と結合部４２，４２との相対位置を押さえバンドの幅方向と、押さえバンドの長さ方向とにそれぞれ調節することができるようになっている。これにより、頭頂側の第二バンド片３２とひさし部側の第一バンド片３１との相対長さを調節可能に構成しており、頭頂側の第二バンド片３２の長さをひさし部側の第一バンド片３１の長さよりも短く形成することができるようになっている。また、両バンド片３２，３１の相対間隔を調節可能に構成している。
【００２７】
次に、帽子枠１の使用方法について説明する。まず、キャップ部６２の内側に折り畳まれている汗止め部６４と、メッシュ部６３とをキャップ部６２の外側へ引き出し、さらにメッシュ部６３の先端側６３ａが汗止め部６４を包むように折り返すことにより、帽子６１を図１２に実線で示す状態にする。
【００２８】
次いで、この状態でキャップ部６２を帽子枠１の自由端側から受け枠２に被せる。このとき、キャップ部６２の前部６５の刺繍範囲６９を第二窓部２５の大開口部２５ａ内に位置させる。また、キャップ部６２の縫い代、メッシュ部６３の縫い代、汗止め部６４の縫い代、汗止め部６４、及びメッシュ部６３を第一窓部２４内に位置させる。
【００２９】
次いで、押さえバンド３を連結棒を中心に回動させ、キャップ部６２の前部６５に被せ、刺繍範囲６９内の生地の弛みを取りながら掛止具３８を掛止片１４に連結する。すると、図６〜図１０に示すように帽子６１の刺繍範囲６９は、その周辺部７０が押さえバンド３によって受け枠２の上面に押さえつけられた状態で張設される。
【００３０】
このとき、例えば縫い合わせ部７７の受け枠２上面からの浮き上がり量に押さえバンド３が対応していないために、刺繍範囲６９の帽子高さ方向における上下の周辺部７０ａ，７０ｂを略均等な強さで押さえることができていないときは、掛止具３８を掛止片１４から外し、蝶ナット４９を緩める。そして、頭頂側の第二バンド片３２とひさし部側の第一バンド片３１との相対長さを調節し、再び掛止具３８を掛止片１４に連結する。これを適宜繰り返すことにより、刺繍範囲６９の帽子高さ方向における上下の周辺部７０ａ，７０ｂを略均等な強さで押さえるように押さえバンド３を調節する。また、刺繍範囲６９の大きさに押さえバンド３が対応していないときも、これと同様にして、第二バンド片３２と第一バンド片３１との相対間隔を調節する。
【００３１】
この状態では、図７及び図８に示すようにキャップ部６２の縫い代、メッシュ部６３の縫い代、及び汗止め部６４の縫い代に加え、汗止め部６４及びメッシュ部６３も第一窓部２４内に嵌まり込むようになっている。このため、従来よりも刺繍範囲６９のひさし部側の受け枠２からの浮き上がりを低減することができる。
【００３２】
また、押さえバンド３は、周辺部７０を押さえるとともに、連結部３６，３７によってひさし部６６の両側部が互いに近づくように該両側部の付け根側付近と、該付近におけるキャップ部６２とを押さえるようになっている。このとき、連結部３６，３７で押さえる位置に対応する受け枠２の上面には小開口部２５ｂが設けられているので、該小開口部２５ｂ内にひさし部６６の両側部の付け根側付近と、該付近におけるキャップ部６２とを押し込むことができ、ひさし部６６の両側部がより互いに近づくように押さえることができる。このように、ひさし部６６の帽子両側部側が互いに近づく方向に押さえると、ひさし部６６が図１１に二点鎖線で示すように円弧状に曲げられ、刺繍範囲６９から離れる方向に傾斜する。従って、図６〜図８に示すように刺繍範囲６９から離れる方向に傾斜した状態で帽子６１が帽子枠１に保持されるようになっている。
【００３３】
以上のように構成された本発明の刺繍ミシン用帽子枠１によれば、受け枠２は、縫い合わせ部７１における刺繍範囲内の他の部位よりも余分な厚さを逃がすための凹部１８を上面に備えているので、従来とは異なり、帽子６１を帽子枠１に装着したときに、縫い合わせ部７１が刺繍範囲内の他の部位よりも盛り上がることがないか、又はその盛り上がりの高さを低減することができる。このため、縫い合わせ部７１における刺繍の品質を従来よりも向上することができる。
【００３４】
なお、本発明は前記実施形態に限定されるものではなく、例えば以下のように、発明の趣旨から逸脱しない範囲で適宜変更して具体化することもできる。
（１）帽子６１の縫い合わせ部７１の構造や布地の厚さ・種類、位置、又は数等に応じて、凹部１８の形状、位置、又は数等を適宜変更すること。
【００３５】
【発明の効果】
以上詳述したように、本発明の刺繍ミシン用帽子枠によれば、刺繍範囲内にある縫い合わせ部における刺繍の品質を向上することができるという優れた効果を奏する。
【図面の簡単な説明】
【図１】本発明の実施形態に係る刺繍ミシン用帽子枠を示す斜視図である。
【図２】同帽子枠の受け枠を示す分解斜視図である。
【図３】同受け枠の平面図である。
【図４】同帽子枠の押さえバンドを示す分解斜視図である。
【図５】同押さえバンドの平面図である。
【図６】同帽子枠への帽子の装着状態を示す側面図である。
【図７】同帽子枠への帽子の装着状態を示す側断面図である。
【図８】図７の部分拡大図である。
【図９】同帽子枠への帽子の装着状態を示す正断面図である。
【図１０】図９の部分拡大図である。
【図１１】周知の帽子をその前側の斜め上方から見た状態を示す斜視図である。
【図１２】同帽子をその後側の斜め下方から見た状態を示す斜視図である。
【図１３】従来の帽子枠を示す図である。
【図１４】同帽子枠への帽子の装着状態を示す側断面図である。
【図１５】同帽子枠への帽子の装着状態を示す正断面図である。
【符号の説明】
１    帽子枠
２    受け枠
３    押さえバンド
１８    凹部
４６    第二の凹部
６１    帽子
６２    キャップ部
６９    刺繍範囲
７０    周辺部
７１    縫い合わせ部
【図１】
0004577970.tif 000002
【図２】
0004577970.tif 000003
【図３】
0004577970.tif 000004
【図４】
0004577970.tif 000005
【図５】
0004577970.tif 000006
【図６】
0004577970.tif 000007
【図７】
0004577970.tif 000008
【図８】
0004577970.tif 000009
【図９】
0004577970.tif 000010
【図１０】
0004577970.tif 000011
【図１１】
0004577970.tif 000012
【図１２】
0004577970.tif 000013
【図１３】
0004577970.tif 000014
【図１４】
0004577970.tif 000015
【図１５】
0004577970.tif 000016